(57)【要約】家庭用娯楽システムのための、オーディオビジュアル（ＡＶ）コンテンツがターゲットコンポーネント（テレビやオーディオアンプなど）により利用されているか示す信号に応じて、ソースコンポーネント（ＶＣＲやＤＶＤプレーヤーなど）からのＡＶコンテンツの再生を制御する方法が説明される。本方法は、任意の専用のユーザとのやりとりを必要とすることなく動作する。任意的に、装置は信号を解釈し、これに応じて、例えば、赤外線遠隔制御コマンドをエミュレートすることにより、ソースコンポーネントの制御に適したコマンドを生成するようにしてもよい。好ましくは、信号及びコマンドは、Ｐｒｏｊｅｃｔ５０プロトコルを用いて実現される。
2005524926.tif 000002
【特許請求の範囲】
【請求項１】
ユーザから独立に管理され、ターゲットコンポーネントへのＡＶコンテンツの再生が可能なソースコンポーネントの制御方法であって、
ａ）前記ターゲットコンポーネントが前記ソースコンポーネントからのＡＶコンテンツを現在利用しているか検知するステップと、
ｂ）前記検知の結果に従って信号を生成するステップと、
ｃ）前記信号を前記ソースコンポーネントに通信するステップと、
ｄ）前記信号に応じて前記ソースコンポーネントからのＡＶコンテンツの停止あるいは再生を実行するステップとを有することを特徴とする方法。
【請求項２】
請求項１記載の制御方法であって、前記ステップｃ）及びｄ）は、
ａ）前記信号を装置に通信するステップと、
ｂ）前記信号に応じてコマンドを生成するステップと、
ｃ）前記コマンドを前記ソースコンポーネントに通信するステップと、
ｄ）前記コマンドに応じて前記ソースコンポーネントからのＡＶコンテンツの停止あるいは再生を実行するステップとにより置き換えられることを特徴とする方法。
【請求項３】
請求項２記載の制御方法のソースコンポーネントの制御装置であって、
前記ターゲットコンポーネントが前記ソースコンポーネントからのＡＶコンテンツを現在利用しているか示す信号の受信が可能な第１ポートと、
前記ソースコンポーネントの制御に適したコマンドの出力が可能な第２ポートと、
前記信号の復号及び前記復号された信号に応答した少なくとも１つのコマンドの生成が可能なデータ処理ユニットとを有することを特徴とする装置。
【請求項４】
請求項３記載の制御装置であって、前記第１ポートは、少なくとも１つのＰｒｏｊｅｃｔ５０メッセージを有する信号をＳｃａｒｔを介し受信することができることを特徴とする装置。
【請求項５】
請求項３記載の制御装置であって、前記第１ポートは、少なくとも１つのＣＥＣメッセージを有する信号をＨＤＭＩを介し受信することができることを特徴とする装置。
【請求項６】
請求項３記載の制御装置であって、前記第１ポートは、少なくとも１つのＩＥＥＥ１３９４メッセージを有する信号をＩＥＥＥ１３９４バスを介し受信することができることを特徴とする装置。
【請求項７】
請求項３記載の制御装置であって、前記第１ポートは、前記ターゲットコンポーネントに関する少なくとも１つの遠隔制御コマンドを有する信号を赤外線を介し受信することができることを特徴とする装置。
【請求項８】
請求項３記載の制御装置であって、前記第１ポートは、少なくとも１つの無線メッセージを有する信号を無線を介して受信することができることを特徴とする装置。
【請求項９】
請求項３記載の制御装置であって、前記第２ポートは、少なくとも１つのＰｒｏｊｅｃｔ５０メッセージを有するコマンドをＳｃａｒｔを介し出力することができることを特徴とする装置。
【請求項１０】
請求項３記載の制御装置であって、前記第２ポートは、少なくとも１つのＣＥＣメッセージを有するコマンドをＨＤＭＩを介し出力することができることを特徴とする装置。
【請求項１１】
請求項３記載の制御装置であって、前記第２ポートは、少なくとも１つのＩＥＥＥ１３９４メッセージを有するコマンドをＩＥＥＥ１３９４バスを介し出力することができることを特徴とする装置。
【請求項１２】
請求項３記載の制御装置であって、前記第２ポートは、前記ソースコンポーネントに関する少なくとも１つの遠隔制御コマンドを有するコマンドを赤外線を介し出力することができることを特徴とする装置。
【請求項１３】
請求項３記載の制御装置であって、前記第２ポートは、少なくとも１つの無線メッセージを有するコマンドを無線を介して出力することができることを特徴とする装置。
【請求項１４】
ＡＶコンテンツの利用が可能なターゲットコンポーネントと、
前記ターゲットコンポーネントがソースコンポーネントからのＡＶコンテンツを現在利用しているか示す信号に応じたＡＶコンテンツの再生が可能なソースコンポーネントとを有する家庭用娯楽システム。
【請求項１５】
ＡＶコンテンツの利用が可能なターゲットコンポーネントと、
ＡＶコンテンツの再生が可能なソースコンポーネントと、
前記ターゲットコンポーネントが前記ソースコンポーネントからのＡＶコンテンツを現在利用しているか示す信号に応じた前記ソースコンポーネントの制御が可能な装置とを有することを特徴とする家庭用娯楽システム。
【請求項１６】
請求項１４または１５記載の家庭用娯楽システムであって、前記ターゲットコンポーネントは、前記信号を生成することができることを特徴とするシステム。
【請求項１７】
請求項３乃至１３何れか一項記載の制御装置を有するソースコンポーネント。
【請求項１８】
請求項３乃至１３何れか一項記載の制御装置を有するターゲットコンポーネント。
【発明の詳細な説明】
【技術分野】
【０００１】
本発明は、オーディオビジュアル（ＡＶ）コンテンツの再生が可能なソースコンポーネントの制御のための方法、装置及びシステムに関する。
【背景技術】
【０００２】
家庭用娯楽システムは、典型的には、ＡＶコンテンツの再生が可能なＶＣＲやＤＶＤなどの１以上のソースコンポーネントと、ディスプレイやオーディオアンプなどのＡＶコンテンツを利用可能にする１以上のターゲットコンポーネントから構成される。家庭用娯楽システムにおけるＶＣＲやＤＶＤの再生中、ユーザは、例えば、どの番組が現在放送されているか確認するため、放送用ＴＶチャンネルなどのＡＶコンテンツの他のソースに一時的にスイッチすることができる。ユーザがスイッチを切り替える前にＶＣＲやＤＶＤを一時停止しなければ、ＶＣＲやＤＶＤは再生を継続し、ＶＣＲやＤＶＤの視聴に戻るとき、内容の一部を見逃してしまうことになる。
【０００３】
ＶＣＲの再生の停止や「スタンバイ」モードへの移行を行うよう調整する製造業者は、ＶＣＲがターゲットコンポーネントのＡＶコンテンツのソースとしてもはや機能していないということを検出すべきである。しかしながら、その後再生に戻るためターゲットコンポーネントがソースとしてＶＣＲを再び選ぶと、ユーザはＶＣＲに「スタンバイ」モードから抜け出し、再生を開始するよう新たに指示を与えなければならない。
【０００４】
本出願の出願時において、ＡＶコンテンツの取得及び格納を行うための新たな手段が出現しているが、これら手段の管理は専用のユーザとのやりとりを必要とする。例えば、ＰＶＲ（Ｐｅｒｓｏｎａｌ  Ｖｉｄｅｏ  Ｒｅｃｏｒｄｅｒ）コンポーネントは、配信されるテレビ番組の一時停止及び再生の再開を行うため、それぞれユーザによるタイムシフト機能の明示的なアサート及びその後のアサート停止により制御されるという特徴を有する。
【０００５】
〔発明の開示〕
本発明の課題は、ＡＶコンテンツの再生が可能なソースコンポーネントの制御のための改良された方法、装置及びシステムにより上記及び他の問題点を解決することである。
【０００６】
本発明によると、ユーザから独立に管理され、ターゲットコンポーネントへのＡＶコンテンツの再生が可能なソースコンポーネントの制御方法であって、
ａ）前記ターゲットコンポーネントが前記ソースコンポーネントからのＡＶコンテンツを現在利用しているか検知するステップと、
ｂ）前記検知の結果に従って信号を生成するステップと、
ｃ）前記信号を前記ソースコンポーネントに通信するステップと、
ｄ）前記信号に応じて前記ソースコンポーネントからのＡＶコンテンツの停止あるいは再生を実行するステップとを有することを特徴とする方法が提供される。
【０００７】
本発明による方法は、ＡＶコンテンツを出力するソースコンポーネントと前記ＡＶコンテンツを利用するターゲットコンポーネントとの間の関連を特定することによる。この関連状態は、対応する信号の生成に利用されてもよい。当該信号は、ソースコンポーネントに通信され、当該ソースコンポーネントの再生を制御するのに利用されてもよい。本発明の特定及び信号処理要求を実現する多数の様々な手段が考案されてもよいということは、当業者には明らかであろう。ソースコンポーネントとターゲットコンポーネントとの間の関連の特定は、専用の手段や以下で参照されるＰｒｏｊｅｃｔ５０などの既存の手段を利用することにより行われてもよい。対応する信号の通信は、以下に限定されるものではないが、Ｓｃａｒｔ、ＩＥＥＥ１３９４/ＨＡＶｉ、パワーラインやイーサネット（登録商標）を含む任意の適切な有線手段により、あるいは以下に限定されるものではないが、無線（ＨｉｐｅｒＬａｎ、ＷｉＦｉ、ＺｉｇＢｅｅ）や赤外線（ＲＣ５/６、パルス位置）を含む無線手段により行われてもよい。
【０００８】
一例として、１つのターゲットコンポーネントと１つのソースコンポーネントを有する、テレビとＶＣＲとの組み合わせのような小さなシステムがあげられる。テレビが選択されとＶＣＲの再生を自動的に制御し、あるいはテレビが選択されてない場合にはＶＣＲからのＡＶ出力を提供するように、専用の信号がテレビからＶＣＲに通信されてもよい。明らかに、ＤＶＤプレーヤーなどの他のソースコンポーネントをＶＣＲの代わりに用いることもできる。同様に、オーディオアンプまたは記録コンポーネントをテレビの代わりに用いることもできる。そのようなシステムはシンプルなものであるが、システムが追加的なソース及びターゲットコンポーネントを含むよう拡張させることが困難であるという点で制限を有するかもしれない。さらに、システムコンポーネントは、（例えば、信号を接続するため各コンポーネント上に追加的インタフェースを内蔵するよう）カスタマイズする必要があるかもしれない。上記及び類似の「専用の（ｐｕｒｐｏｓｅ−ｂｕｉｌｔ）」な解法は、追加的なコストがかかり、他のブランドと潜在的に互換性がないため、望ましくない。
【０００９】
本方法の特定及び信号処理要求を実現する好適な手段は、家庭用娯楽システムコンポーネント内で実現されている既存の技術の可能性を利用するためのものであってもよい。そのような技術の１つは、Ｓｃａｒｔ（Ｐｒｏｊｅｃｔ５０）上のＡＶ．Ｌｉｎｋである。システムのコンポーネント間のＰｒｏｊｅｃｔ５０メッセージトラフィックをモニタすることにより、ソース及びターゲットコンポーネントの関連を特定し、この関連がアクティブ状態にあるか判断し、この情報を利用して該当するソースコンポーネントの再生を制御することができる。このようにして、多数のソースコンポーネントとターゲットコンポーネントを有するシステムを調整してもよい。
【００１０】
ここで、本発明はユーザの任意の専用の関与を回避している。
【００１１】
本発明のさらなる特徴によると、本方法はあるいは、
ａ）前記ターゲットコンポーネントが前記ソースコンポーネントからのＡＶコンテンツを現在利用しているか検知するステップと、
ｂ）前記検知の結果に従って信号を生成するステップと、
ｃ）前記信号を装置に通信するステップと、
ｄ）前記信号に応じてコマンドを生成するステップと、
ｅ）前記コマンドを前記ソースコンポーネントに通信するステップと、
ｆ）前記コマンドに応じて前記ソースコンポーネントからのＡＶコンテンツの停止あるいは再生を実行するステップを有する。
【００１２】
本発明の効果的な特徴は、ソースコンポーネントに信号を通信する代わりに、当該信号がソースコンポーネントの生成に利用される。一例として、ソースコンポーネントがＶＣＲなどの既存のレガシーコンポーネントであり、コマンドが「再生」や「一時停止」のようなＶＣＲのＡＶの再生を効果的に制御するＶＣＲデッキ機能の制御に適切な赤外線コマンドであるかもしれない。このように、あるいは同様にして、当該分野における既存のレガシーコンポーネントが本発明の方法に従って制御されてもよい。他のコマンドフォーマットには、以下に限定されるものではないが、Ｐｒｏｊｅｃｔ５０メッセージ、ＩＥＥＥ１３９４/ＨＡＶｉメッセージ、イーサネット（登録商標）メッセージ、パワーラインメッセージ及び無線メッセージが含まれる。コマンドを通信する手段には、以下に限定されるものではないが、Ｓｃａｒｔ、ＩＥＥＥ１３９４/ＨＡＶｉ、イーサネット（登録商標）またはパワーラインを含む有線手段、あるいは以下に限定されるものではないが、無線（ＨｉｐｅｒＬａｎ、ＷｉＦｉ、ＺｉｇＢｅｅ）または赤外線（ＲＣ５/６、パルス位置）を含む無線手段が含まれる。一般に、本発明による方法は、この信号応じて、ソースコンポーネントがＡＶコンテンツの停止または再生を行うよう制御されることを決定する。
【００１３】
本発明のさらなる特徴によると、ソースコンポーネントの制御装置であって、
−前記ターゲットコンポーネントが前記ソースコンポーネントからのＡＶコンテンツを現在利用しているか示す信号の受信が可能な第１ポートと、
−前記ソースコンポーネントの制御に適したコマンドの出力が可能な第２ポートと、
−前記信号の復号及び前記復号された信号に応答した少なくとも１つのコマンドの生成が可能なデータ処理ユニットとを有することを特徴とする装置が規定される。
【００１４】
適切な装置の追加により、既存の家庭用娯楽システムは、本発明の方法により動作するようアップグレードされてもよい。本装置の主要な機能は、通常、表示信号を受信し、それによりレガシーコンポーネントを含む標準的な（すなわち、改良されていない）ソースコンポーネントに適したコマンドを生成することである。明らかに、本装置は、独立型のものであってもよいし、あるいはソースまたはターゲットコンポーネントに内蔵されていてもよい。システム内には複数の装置が存在してもよく、かつ複数のコンポーネントが装置を内蔵していてもよい。この表示信号は前述のような有線または無線を含む任意の適切な媒体を介し装置に印加されてもよい。当該信号自体は、以下に限定されるものではないが、Ｐｒｏｊｅｃｔ５０メッセージ、ＩＥＥＥ１３９４メッセージ、パワーラインメッセージ、ターゲットコンポーネントに関する赤外線遠隔制御コマンド、あるいは無線メッセージを含む任意の適切なフォーマットに従うものであってもよい。あるいは、表示信号とコマンドはそれぞれ適用され、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を介し送信されるＣＥＣ（Ｃｏｎｓｕｍｅｒ  Ｅｌｅｃｔｒｏｎｉｃｓ  Ｃｏｎｔｒｏｌ）メッセージを利用して装置から出力されてもよい。
【００１５】
本発明のさらなる特徴によると、ＡＶコンテンツの利用が可能なターゲットコンポーネントと、前記ターゲットコンポーネントがソースコンポーネントからのＡＶコンテンツを現在利用しているか示す信号に応じたＡＶコンテンツの再生が可能なソースコンポーネントとを有する家庭用娯楽システムが規定される。このようなシステムでは、ソースコンポーネントは、信号を解釈することができ、これによりＡＶコンテンツの再生を制御することができる。
【００１６】
本発明のさらなる特徴によると、ＡＶコンテンツの利用が可能なターゲットコンポーネントと、ＡＶコンテンツの再生が可能なソースコンポーネントと、前記ターゲットコンポーネントが前記ソースコンポーネントからのＡＶコンテンツを現在利用しているか示す信号に応じた前記ソースコンポーネントの制御が可能な装置とを有することを特徴とする家庭用娯楽システムが規定される。このようなシステムでは、ソースコンポーネントは、信号に応じて装置により発行される１以上のコマンドにより制御されてもよい。当該信号は、システムのコンポーネントから独立な手段を含む任意の適切な手段により提供されてもよい。好ましくは、この信号はターゲットコンポーネントにより生成される。
【００１７】
本発明のさらなる特徴及び効果は、添付された図面を参照することにより実施例を用いて説明される。
【発明を実施するための最良の形態】
【００１８】
本説明では、「ＡＶコンテンツ」という用語は、以下に限定するものではないが、任意の適切なアナログ及び/またはデジタル信号符号化形式を介し供給される画像、音声、テキスト及びグラフィックスを含む音声及び/または映像資産をいう。「再生」という用語は、ソースコンポーネントからのＡＶコンテンツの少なくとも１つのストリームの出力をいう。「ソースコンポーネント」という用語は、他の（ターゲット）コンポーネントへのＡＶコンテンツの再生が可能な家庭用娯楽システムの任意の製品またはコンポーネントをいう。「一時停止」という用語は、例えば、映像のフリーズされたフレーム画像などのソースコンポーネントからの出力信号が依然としてアクティブ状態であるモードにおいて、ソースコンポーネントからのＡＶコンテンツの再生停止を意味する。「レガシー（ｌｅｇａｃｙ）コンポーネント」という用語は、当該分野においてすでにある家庭用娯楽コンポーネントをいう。
【００１９】
図１は、ソースコンポーネントの再生の第１制御方法のフロー図を示す。本方法の全体は、１００により示され、連続的なループプロセスから構成される。ステップ１０２において、ターゲットコンポーネントによるソースコンポーネントからのＡＶコンテンツの利用性が検知される。ステップ１０４において、検知結果に応じて信号が生成される。ステップ１０６において、当該信号がソースコンポーネントに通信される。ステップ１０８において、当該信号に応じてソースコンポーネントのＡＶコンテンツの再生が制御される。本方法では、この信号は、ターゲットコンポーネントによるＡＶ利用の連続的な現在状態を表す。本方法は、信号との直接的なやりとりが可能な家庭用娯楽コンポーネントシステムに適したものであり、そのような実施例が以下の図４により説明及び例示される。
【００２０】
図２は、装置によるソースコンポーネントの第２制御方法のフロー図を示す。本方法の全体は、２００により示される。前述のように、ステップ２０２において、ターゲットコンポーネントによるソースコンポーネントからのＡＶコンテンツの利用性が検知される。ステップ２０４において、検知結果に応じて信号が生成される。ステップ２０６において、当該信号が装置に通信される。ステップ２０８において、この装置は、信号に応じて少なくとも１つのコマンドを生成する。ステップ２１０において、このコマンドはソースコンポーネントに通信される。その後、本方法はステップ２０２にループバックする。一般に、ソースコンポーネントに与えられるコマンドは、当該コンポーネントがＡＶコンテンツの停止あるいは再生を行うことができるように、コンポーネントをそれぞれ「一時停止」あるいは「再生」モードにする。さらに、好ましくは、「状態変更」によってのみ、すなわち、ターゲットコンポーネントによるソースコンポーネントからのＡＶコンテンツの利用の停止あるいは再開があったとき（信号により指示されるように）、装置によりコマンドが生成される。
【００２１】
図３は、図２の方法を実現する装置の概略図を示す。本装置の全体は、３００により示され、（ＣＰＵ３０４、プログラムＲＯＭ３０６及びＲＡＭ３０８から構成される）データ処理ユニット３０２、入力信号の受信が可能な第１ポート３１２及びコマンドの出力が可能な第２ポート３１４を有し、これらすべてが既知の方法によりバス３１０により相互接続されている。データ処理ユニット３０２は、プログラムＲＯＭ３０６に保持されているプログラム命令の制御の下、ソースコンポーネントとターゲットコンポーネント間の関連付けと、ターゲットコンポーネントによるソースコンポーネントからのＡＶコンテンツの利用性を検知する入力信号を復号する。この検知に応じて、データ処理ユニット３０２が、１以上のコマンドの生成及びソースコンポーネントとの通信のためこれらのコマンドを第２ポート３１４に転送することを判断してもよい。受信信号及び/または送信コマンドのフォーマットは、システム内のコンポーネントの能力及びシステム内の当該装置の配置に依存してもよい（すなわち、本装置が独立タイプのものであるか、あるいはコンポーネント内に配備されているか）。
【００２２】
図４は、図１の方法を実現することができる第１システムの概略を示す。本システムの全体は、４００により示され、ターゲットコンポーネント４０４に接続されるソースコンポーネント４０２を有する。ソースコンポーネント４０２からのＡＶコンテンツの再生は、ターゲットコンポーネント４０４により生成されるソースコンポーネントからのＡＶコンテンツの利用性を示す信号を４０８に応じて実行される。４０６において、ＡＶコンテンツは、ソースコンポーネントからターゲットコンポーネントに通信される。本システムは、例えば、ソースコンポーネントからの再生をイネーブル/ディスイネーブルにするシンプルなバイナリ信号などの信号４０８を実現するための専用手段と互換性を有する。あるいは、Ｐｒｏｊｅｃｔ５０メッセージなどの既存の手段を利用して信号が伝えられる場合、適切な追加的復号ソフトウェアを有するソースコンポーネントにより当該方法が実現されてもよい。図６に関して、一例となる実現形態が後述される。
【００２３】
図５は、図２の方法を実現することができる図３の装置を有する第２システムの概略を示す。本システムの全体は、５００により示され、ターゲットコンポーネント５０４に接続されるソースコンポーネント５０２を有し、装置５１０は両方のコンポーネントに接続される。ソースコンポーネントからのＡＶコンテンツの利用性に応じて、ターゲットコンポーネント５０４により信号が生成される。当該信号５０８は、装置５１０に通信される。信号５０８に応じて、装置５１０は、ソースコンポーネントに通信される１以上のコッ万度５１２の生成及び通信を行う。当該コマンドに従って、ソースコンポーネント５０２は、ＡＶコンテンツの再生の停止または再開を行う。ＡＶコンテンツ５０６はターゲットコンポーネント５０４に通信される。上記システムはレガシーソースコンポーネントと互換性を有するものであり、例えば、装置により与えられるコマンドがソースコンポーネントの赤外線遠隔制御コマンドをエミュレートし、これによりＡＶコンテンツの再生の停止または再開を行うため、当該コンポーネントの制御が可能となるようにしてもよい。
【００２４】
図６は、Ｐｒｏｊｅｃｔ５０メッセージ処理を利用する図５のシステムの一実施例を示す。本システムの全体は、６００により示され、破線により示されるようなＤＶＤプレーヤーコンポーネント６０２及びテレビ受信機コンポーネント６０４から構成される。ＤＶＤプレーヤー６０２は、装置６０６と関連するＡＶ回路を有するＤＶＤデッキ６０８を有する。これら２つのコンポーネント６０２と６０４は、Ｓｃａｒｔコネクタ６１０と６１２を有し、従来のＳｃａｒｔケーブル６１４を用いて互いに接続されている。装置６０６、ＤＶＤデッキ＆ＡＶ回路６０８及びテレビ受信機６０４は、Ｐｒｏｊｅｃｔ５０信号ライン６１６を用いてＰｒｏｊｅｃｔ５０メッセージを送信する。装置６０６は、コマンド６１８をＤＶＤデッキに送信する。ＤＶＤデッキ＆ＡＶ回路６０８は、信号ワイヤ６２０を介してテレビ受信機６０４にＡＶコンテンツを送信する。動作中、装置６０６は、テレビ受信機６０４とＤＶＤデッキ＆ＡＶ回路６０８との間のＰｒｏｊｅｃｔ５０メッセージトラフィックをモニタする。装置６０６は、テレビがＤＶＤのＡＶコンテンツの再生に対してターゲットコンポーネントとして機能するとき、あるいはそうでないときを検知するメッセージを復号する。この検知に応じて、装置６０６は、ＤＶＤデッキ＆ＡＶ回路６０８を制御するため１以上のコマンド６１８を与える。あるいは、装置６０６は、信号ライン６１６を介してＤＶＤデッキ＆ＡＶ回路６０８に適切なＰｒｏｊｅｃｔ５０メッセージを送信することにより、これらのコマンドを発行することができる（この場合、装置６０６は、ＡＶコンテンツの利用の検知とコマンドの発行のため単一の共通Ｐｒｏｊｅｃｔ５０を有することもできる）。これらコマンドに応答して、ＤＶＤデッキは、一時停止と再生を行い、これによりどのＡＶコンテンツが信号ライン６２０を介してテレビ受信機６０４に送信されるかに関して、ＡＶコンテンツの再生を制御する。本例では、本発明の教示を実現するため、適切に変更されたＤＶＤプレーヤーがＳｃａｒｔを介しレガシーＰｒｏｊｅｃｔ５０テレビ受信機と協調していることが示される。商業的な効果として、Ｐｒｏｊｅｃｔ５０搭載型ＤＶＤプレーヤーはすでに必要なハードウェアのすべてを有するため、当該プレーヤーへの比較的簡単なソフトウェアのアップグレードにより、本装置の実現が可能であるという事実があげられる。
【００２５】
上記実現形態は、単なる実施例により提供され、本発明の効果を利用するため当業者により容易に識別可能な実現形態の範囲の選択を表す。
【００２６】
上記説明と図５を参照することにより、家庭用娯楽システム５００のための、ＡＶコンテンツがターゲットコンポーネント５０４（テレビやオーディオアンプなど）により利用されているかを示す信号５０８に応じて、ソースコンポーネント５０２（ＶＣＲやＤＶＤプレーヤーなど）からのＡＶコンテンツ５０６の再生制御方法が説明された。本方法は、任意の専用のユーザとのやりとりなく動作する。任意的に、装置５１０は、信号５０８を解釈し、それに応答して例えば、赤外線遠隔制御コマンドをエミュレートすることにより、ソースコンポーネントの制御に適したコマンド５１２を生成する。好ましくは、信号５０２とコマンド５１２は、Ｐｒｏｊｅｃｔ５０プロトコルを用いて実現される。
【図面の簡単な説明】
【００２７】
【図１】図１は、本発明の教示によるソースコンポーネントの第１再生制御方法のフロー図を示す。
【図２】図２は、本発明の教示による装置によるソースコンポーネントの第２制御方法のフロー図を示す。
【図３】図３は、図２の方法を実現する装置の概略図を示す。
【図４】図４は、図１の方法の実現が可能な第１システムの概略を示す。
【図５】図５は、図２の方法の実現が可能な図３の装置を有する第２システムの概略を示す。
【図６】図６は、Ｐｒｏｊｅｃｔ５０メッセージ処理を用いた図５のシステムの一実施例を示す。
【図１】
2005524926.tif 000003
【図２】
2005524926.tif 000004
【図３】
2005524926.tif 000005
【図４】
2005524926.tif 000006
【図５】
2005524926.tif 000007
【図６】
2005524926.tif 000008
【国際調査報告】
2005524926.tif 000009
2005524926.tif 000010
2005524926.tif 000011